(57)【要約】【課題】安定していて倒れにくく、高さ調整も容易で、根太材の繋ぎ目に撓みが生じることが無く、施工性と強度に優れた根太システムを開発する。【解決手段】側面に長さ方向の溝を形成した根太材を連続して設ける。根太材の接続部を支持する根太受具、及び根太材の中間部を支持する根太受具の根太受板上面に立上部を形成し、その上部に前記根太材の溝と嵌合する突条を設ける。根太システムの組み立てが簡単であり、隣り合う根太材の端部が１個の根太受具で支持されるので、高さ調整作業が容易となる。また、根太材の端部が根太受具で支持されるので、上床のきしみが防止され、強度のすぐれたものとなる。【選択図】      図１２
2007204931.tif 000002
【特許請求の範囲】
【請求項１】
上下方向に貫通する雌ねじ孔を有する根太受板と、前記雌ねじ孔に螺着した支持ボルトを有し、前記根太受板上面の前記雌ねじ孔の両側を根太支持面とし、該根太支持面の根太幅方向の両端部に立上部を形成すると共に、該立上部の上部から突条を根太材両側面の溝に係合するように内側方向に突出形成したことを特徴とする根太受具。
【請求項２】
上下方向に貫通する雌ねじ孔を有する根太受板と、前記雌ねじ孔に螺着した支持ボルトを有し、前記根太受板上面の前記雌ねじ孔の脇部分を根太支持面とし、該根太支持面の前記雌ねじ孔と反対側に立上部を形成すると共に、該立上部の上部から突条を根太材側面の溝に係合するように内側方向に突出形成したことを特徴とする根太受具。
【請求項３】
上下方向に貫通する雌ねじ孔を有する根太受板と、前記雌ねじ孔に螺着した支持ボルトを有し、前記根太受板上面の前記雌ねじ孔の両側を根太支持面とし、一方の該根太支持面の根太幅方向の両端部に立上部を形成すると共に、該立上部の上部から突条を根太両側面の溝に係合するように内側に突出形成し、他方の前記根太支持面の前記雌ねじ孔と反対側に立上部を形成すると共に、該立上部の上部から突条を根太材側面の溝に係合するように内側方向に突出形成したことを特徴とする根太受具。
【請求項４】
複数の根太材を、その接続部において、請求項１の根太受具で支持する根太システムであって、前記根太材は両側面に長さ方向の溝が形成され、前記接続部において隣り合う根太材の前記溝が前記根太受具の突条に係合していることを特徴とする根太システム。
【請求項５】
複数の根太材を、その接続部において請求項１又は３の根太受具で支持する根太システムであって、前記根太材は両側面に長さ方向の溝が形成され、前記接続部において隣り合う根太材が直線状に接続される部分は請求項１の根太受具で支持し、隣り合う根太材が直角に接続される部分は請求項３の根太受具で支持し、根太材の各接続部において、前記溝が前記突条に係合していることを特徴とする根太システム。
【請求項６】
請求項４又は５の根太システムにおいて、前記根太材のうちの少なくとも１つの根太材の中間部を、請求項２の根太受具で支持し、前記根太材の溝が前記請求項２の根太受具の突条に係合していることを特徴とする根太システム。
【請求項７】
請求項４、５又は６のいずれかの根太システムの上に床材を貼設したことを特徴とする二重床。
【発明の詳細な説明】
【技術分野】
【０００１】
本発明は、主に集合住宅のコンクリート等の躯体床の上に施工する根太システム、この根太システムにおいて根太を支持する根太受具、及びこの根太システム上に床材を貼設した二重床に関する。
【背景技術】
【０００２】
根太システムを用いた二重床は、例えば下記の特許文献１に記載されている。二重床は、例えば、コンクリートなどの躯体床の上に高さ調整可能な根太ユニットを所定間隔で設置し、その上に上床材を貼付して施工される。根太のなかで、特に壁際に設置されるものを際根太という。壁際に際根太を設置し、床の中央部分は根太に代えて発泡ポリスチレン等の発泡プラスチックでなるベース材を施工し、これら際根太及びベース材の上に上床材を貼付する方法もある。
【０００３】
図１６は、従来から普通に用いられる根太システム例を示す平面図及び側面図である。これは、床の中央部分に用いる根太ユニットと同じ根太ユニット３０を壁際に並べて設置するものである。根太ユニット３０は根太材３１に所定間隔で貫通孔３２を開け、下面に雌ねじを有するボルト受３３をビスなどで取り付け、これに支持ボルト３を螺着し、複数の支持ボルトで根太材３１を支持するものである（図１７）。支持ボルトを回転することで高さ調整をすることができる。
【特許文献１】特開平１０−２４５９６４号公報
【発明の開示】
【発明が解決しようとする課題】
【０００４】
上記のような従来の際根太施工には次のような問題点があった。
（い）根太ユニットを製作する場合、根太材に所定間隔で貫通孔を開け、さらにボルト受をビスなどで取り付けるので、製作作業が煩雑で時間がかかる。
（ろ）施工中根太ユニットが倒れやすく、非常に不安定で作業能率が悪い。
（は）根太ユニットどうしに連続性がなく、繋ぎ目において両側の根太ユニットの支持ボルトの高さ調整をしなければならないので、高さ調整する支持ボルトの数が多く、高さ調整に時間がかかる。
（に）根太ユニットどうしに連続性がないため、根太材の繋ぎ目に荷重がかかったときに根太材が撓みやすく、当該部分の上床にきしみが生じやすい。
【０００５】
本発明は、安定していて倒れにくく、高さ調整も容易で、根太材の繋ぎ目に撓みが生じることが無く、施工性と強度に優れた根太システム及びこの根太システムを利用した二重床を開発することを課題とする。
【課題を解決するための手段】
【０００６】
〔請求項１〕
本発明は、上下方向に貫通する雌ねじ孔を有する根太受板と、前記雌ねじ孔に螺着した支持ボルトを有し、前記根太受板上面の前記雌ねじ孔の両側を根太支持面とし、該根太支持面の根太幅方向の両端部に立上部を形成すると共に、該立上部の上部から突条を根太材両側面の溝に係合するように内側方向に突出形成したことを特徴とする根太受具である。
【０００７】
〔請求項２〕
また本発明は、上下方向に貫通する雌ねじ孔を有する根太受板と、前記雌ねじ孔に螺着した支持ボルトを有し、前記根太受板上面の前記雌ねじ孔の脇部分を根太支持面とし、該根太支持面の前記雌ねじ孔と反対側に立上部を形成すると共に、該立上部の上部から突条を根太材側面の溝に係合するように内側方向に突出形成したことを特徴とする根太受具である。
【０００８】
〔請求項３〕
また本発明は、上下方向に貫通する雌ねじ孔を有する根太受板と、前記雌ねじ孔に螺着した支持ボルトを有し、前記根太受板上面の前記雌ねじ孔の両側を根太支持面とし、一方の該根太支持面の根太幅方向の両端部に立上部を形成すると共に、該立上部の上部から突条を根太両側面の溝に係合するように内側に突出形成し、他方の前記根太支持面の前記雌ねじ孔と反対側に立上部を形成すると共に、該立上部の上部から突条を根太材側面の溝に係合するように内側方向に突出形成したことを特徴とする根太受具である。
【０００９】
〔請求項４〕
また本発明は、複数の根太材を、その接続部において、請求項１の根太受具で支持する根太システムであって、前記根太材は両側面に長さ方向の溝が形成され、前記接続部において隣り合う根太材の前記溝が前記根太受具の突条に係合していることを特徴とする根太システムである。
【００１０】
〔請求項５〕
また本発明は、複数の根太材を、その接続部において請求項１又は３の根太受具で支持する根太システムであって、前記根太材は両側面に長さ方向の溝が形成され、前記接続部において隣り合う根太材が直線状に接続される部分は請求項１の根太受具で支持し、隣り合う根太材が直角に接続される部分は請求項３の根太受具で支持し、根太材の各接続部において、前記溝が前記突条に係合していることを特徴とする根太システムである。
【００１１】
〔請求項６〕
また本発明は、請求項４又は５の根太システムにおいて、前記根太材のうちの少なくとも１つの根太材の中間部を、請求項２の根太受具で支持し、前記根太材の溝が前記請求項２の根太受具の突条に係合していることを特徴とする根太システムである。
【００１２】
〔請求項７〕
また本発明は、請求項４、５又は６のいずれかの根太システムの上に床材を貼設したことを特徴とする二重床である。
【発明の効果】
【００１３】
請求項１の根太受具は、雌ねじ孔の両側の突条に、それぞれ根太材の溝を係合することで、根太材を直線的に接続し、根太システムをきわめて容易に製作することができる。
【００１４】
請求項２の根太受具は、根太材の中間部において、突条に根太材の溝を係合することで取り付け、根太材を容易に補強することができる。この根太受具は根太材中間部の任意の位置に容易に取り付けることができる。
【００１５】
請求項３の根太受具は、雌ねじ孔の両側の突条に、それぞれ根太材の溝を係合することで、根太材を直角に接続し、根太システムをきわめて容易に製作することができる。
【００１６】
請求項４の根太システムは、前記請求項１の根太受具の突条に根太材の溝を係合することで根太材を直線的に接続し、容易に製作することができる。隣り合う根太材の端部が１個の根太受具で支持されるので、１個の根太受具の高さ調整を行うことで両側の根太材端部の高さ調整ができ、高さ調整作業が容易となる。また、根太材の端部が根太受具で支持されるので、根太の端部が撓むことがなく、上床のきしみが防止され、強度のすぐれたものとなる。
【００１７】
請求項５の根太システムは、前記請求項１又は３の根太受具の突条に根太材の溝を嵌合することで根太材を直線的又は直角に接続し、容易に製作することができる。隣り合う根太材の端部が１個の根太受具で支持されるので、１個の根太受具の高さ調整を行うことで両側の根太材端部の高さ調整ができ、高さ調整作業が容易となる。また、根太材の端部が根太受具で支持されるので、根太の端部が撓むことがなく、上床のきしみが防止され、強度のすぐれたものとなる。
【００１８】
請求項６の根太システムは、根太材の中間部において、根太材の溝に前記請求項２の根太受具の突条を係合して取り付け、根太材を補強したので、長い根太材を用いても根太システムの強度を確保できる。請求項２の根太受具は根太材の任意の位置に容易に取り付けることができる。この根太システムは、根太材端部の支持ボルトと根太材中間部の支持ボルトとが一直線上にないので、施工中において根太システムが安定して倒れにくく、二重床の施工を容易に行うことができる。
【００１９】
請求項７の二重床は、本発明の根太システムを用いて容易に施工でき、また、根太材の端部が根太受具で支持されるので、根太材端部が撓むことがなく、上床のきしみが防止され、強度のすぐれたものとなる。
【実施例】
【００２０】
図１は実施例の根太受具１の平面図、図２は同じく側面図である。根太受具１は、プラスチックで一体成形された根太受板２と支持ボルト３からなる。根太受板２の中央には上下方向に貫通する雌ねじ孔が設けられ、支持ボルト３はこの雌ねじ孔に螺着されている。根太受板２は板状をなし、雌ねじ孔の周囲は強度を保持するため肉厚に形成され、下面に円筒状に突出したボス部７となっており、更に下面には補強のためのリブ８が形成されている。根太受板２の上面の雌ねじ孔の両側は根太支持面４となっており、図９、１０に示すように、この上で根太材２４が支持される。根太材２４には、図８に示すように、両側面に溝２５が形成されている。根太支持面４の根太幅方向の両端部に立上部５が形成され、更に立上部５の上部から突条６が根太材両側面の溝２５に係合するように内側方向に突出形成されている。なお、本発明において「係合」とは、図１０、１１などに示されるように、根太材２４が上方に浮き上がろうとしたときに突条６、１５、２１、２３の下面６ａ、１５ａ、２１ａ、２３ａが根太材２４の溝２５の底面に２５ａ接して根太の浮き上がりを規制する状態を意味する。支持ボルト３はプラスチック製又は金属製で、頂面にボルトを回転させて高さ調整を行うためのマイナス溝１０（プラス溝でもよい）が形成され、下部にゴム、軟質プラスチックなどの振動を吸収する素材でなる台部９が嵌め込まれている。
【００２１】
根太材２４は、中央縦断線及び中央横断線に対して線対称となっており、上下反転しても全く同形状となり、上下の区別を気にすることなく用いることができ、好適である。しかし、本発明の根太材は、必ずしも中央縦断線又は中央横断線に対して線対称である必要はない。
【００２２】
図３は実施例の根太受具１１の平面図、図４は同じく側面図である。根太受具１１は、プラスチックで一体成形された根太受板１２と支持ボルト３からなる。根太受板２には上下方向に貫通する雌ねじ孔が設けられ、支持ボルト３はこの雌ねじ孔に螺着されている。支持ボルト３は前記図１、２における支持ボルトと全く同じ構成である。根太受板１２は板状をなし、雌ねじ孔の周囲は強度を保持するため肉厚に形成され、下面に円筒状に突出したボス部７となっており、更に下面には補強のためのリブ８が形成されている。根太受板１２の上面の雌ねじ孔の脇部分は根太支持面１３となっており、図９、１１に示すように、この上で根太材２４が支持される。根太支持面１３の雌ねじ孔と反対側に立上部１４が形成され、更に立上部１４の上部から突条１５が根太材側面の溝２５に係合するように内側方向に突出形成されている。立上部１４は、図１１に示すように、根太支持面１３に根太材を載せたときに支持ボルト３の頂面が根太材２４の脇に露出する位置で、立上部１４と雌ねじ孔の内法寸法は根太材２４の幅と同じか、それよりもやや広くなっている（０〜３ｍｍ程度）。
【００２３】
図５は実施例の根太受具１６の平面図、図６は同じく側面図、図７は図５におけるＡ−Ａ線断面図である。根太受具１６は、プラスチックで一体成形された根太受板１７と支持ボルト３からなる。根太受板１７には上下方向に貫通する雌ねじ孔が設けられ、支持ボルト３はこの雌ねじ孔に螺着されている。支持ボルト３は前記図１、２における支持ボルトと全く同じ構成である。根太受板１７は板状をなし、雌ねじ孔の周囲は強度を保持するため肉厚に形成され、下面に円筒状に突出したボス部７となっており、更に下面には補強のためのリブ８が形成されている。根太受板１７上面の雌ねじ孔の両側は根太支持面１８、１９となっており、図１２、１３に示すように、一方の根太支持面１８の根太幅方向の両端部に立上部２０が形成され、更に立上部２０の上部から突条２１が根太両側面の溝２５に係合するように内側に突出形成されている。また、他方の根太支持面１９の雌ねじ孔と反対側に立上部２２が形成され、更に立上部２２の上部から突条２３が根太材側面の溝２５に係合するように内側方向に突出形成されている。立上部２２は、図１３に示すように、根太支持面１９に根太材２４を載せたときに支持ボルト３の頂面が根太材２４の脇に露出する位置で、立上部２２と雌ねじ孔の内法寸法は根太材２４の幅と同じか、それよりもやや広くなっている（０〜３ｍｍ程度）。
【００２４】
図９は実施例の根太システムの平面図、図１０は図９におけるＢ−Ｂ線断面図、図１１は図９におけるＣ−Ｃ線断面図である。図５は、本発明の根太システムを壁Ｗの際に施工し、際根太として用いた例で、根太材２４を直線状に接続した場合を表している。図８の根太材２４の接続部分（端部）を、図１の根太受具１で支持している。また、根太材２４の中間部を、図３の根太受具１１で支持している。根太材２４には溝２５が全長に亘って設けられているので、根太材２４の中間部の任意の位置を根太受具１１で支持することができる。図９〜１１は、本実施例の根太システムを際根太として用いた場合を示したが、本実施例の根太システムは際根太以外の、床の中央部の根太システムとして用いることができるのはもちろんである。
【００２５】
図１２は実施例の根太システムの平面図、図１３は図１２におけるＤ−Ｄ線断面図で、根太材２４を直角に接続した場合を表している。根太材２４を直角に接続する部分は、根太材２４の端部を、図５の根太受具１６で支持する。この根太システムは、特に際根太として使用するのに適している。
【００２６】
図１４は、ある部屋に本発明の根太システムを際根太として適用した例を示す略平面図である。図１４は簡略化のため、根太受具１、１１、１６を小円で表している。根太材２４は全て根太受具１、１６で接続され、中間部を適宜根太受具１１で支持している。全ての根太材は両端を根太支持具で支持されるので、撓みにくい。また、根太材は所望の寸法に切断して使用できるので、根太材の無駄を最小限にすることができる。
【００２７】
上記実施例の根太システムは、根太材の間、又は根太材の側方に支持ボルト３の頂面が露出しているので、マイナス溝１０を利用してドライバーなどで上から支持ボルトを回転させることで高さ調整を行うことができる。
【００２８】
図１５は、本発明の二重床の断面図で、図９、１２の本発明の根太システムの上に床材（上床）を貼付したものである。床材は通常ベースボード２６と仕上げ材２７からなり、ベースボードは合板やパーティクルボード等、仕上げ材はフローリング、絨毯、畳等である。本実施例の二重床において、際根太以外の上床支持部材（床の中央部分）は、例えば、図９に示す根太材を直線的に接続した根太システムを躯体床Ｆの中央部分に所定間隔に並べたものとすることができる。また、従来の二重床と同様の構成とすることもできる。例えば、前記従来例として掲げた図１６、１７のような根太ユニットを躯体床Ｆの中央部分に所定間隔で並べたものや、前記特許文献１に記載されている発泡プラスチックのベース材等を用いることもできる。
【図面の簡単な説明】
【００２９】
【図１】実施例の根太受具１の平面図である。
【図２】実施例の根太受具１の側面図である。
【図３】実施例の根太受具１１の平面図である。
【図４】実施例の根太受具１１の側面図である。
【図５】実施例の根太受具１６の平面図である。
【図６】実施例の根太受具１６の側面図である。
【図７】図５におけるＡ−Ａ線断面図である。
【図８】根太材２４の斜視図である。
【図９】実施例の根太システムの平面図である。
【図１０】図９におけるＢ−Ｂ線断面図である。
【図１１】図９におけるＣ−Ｃ線断面図である。
【図１２】実施例の根太システムの平面図である。
【図１３】図１２におけるＤＤ線断面図である。
【図１４】実施例の根太システムの平面図である。
【図１５】実施例の二重床の断面図である。
【図１６】従来の根太システムの平面図及び側面図である。
【図１７】従来の根太システムの断面図である。
【符号の説明】
【００３０】
１  根太受具
２  根太受板
３  支持ボルト
４  根太支持面
５  立上部
６  突条
７  ボス部
８  リブ
９  台部
１０  マイナス溝
１１  根太受具
１２  根太受板
１３  根太支持面
１４  立上部
１５  突条
１６  根太受具
１７  根太受板
１８  根太支持面
１９  根太支持面
２０  立上部
２１  突条
２２  立上部
２３  突条
２４  根太材
２５  溝
２６  ベースボード
２７  仕上げ材
３０  根太ユニット
３１  根太材
３２  貫通孔
３３  ボルト受
Ｗ  壁
Ｆ  躯体床
【図１】
2007204931.tif 000003
【図２】
2007204931.tif 000004
【図３】
2007204931.tif 000005
【図４】
2007204931.tif 000006
【図５】
2007204931.tif 000007
【図６】
2007204931.tif 000008
【図７】
2007204931.tif 000009
【図８】
2007204931.tif 000010
【図９】
2007204931.tif 000011
【図１０】
2007204931.tif 000012
【図１１】
2007204931.tif 000013
【図１２】
2007204931.tif 000014
【図１３】
2007204931.tif 000015
【図１４】
2007204931.tif 000016
【図１５】
2007204931.tif 000017
【図１６】
2007204931.tif 000018
【図１７】
2007204931.tif 000019